(57)【要約】【課題】インターネットの放送をテレビで視聴する場合、操作性のよい番組表の作成が課題であった。さらにデジタル放送のようなインターネット放送のチャンネルをサーチする方法が必要であった。【解決手段】インターネット放送サイトにインデックス情報をもち、テレビにおいてチャンネルをサーチすることでインターネット側で検索を行い、アドレスと、ロゴなどのビットマップ情報を入手し、テレビの番組表キーを押下することで、前記ビットマップがサムネイル表示を行い、チャンネルキーを押すことによってインターネット放送が開始する。【選択図】図１
2007110304.tif 000002
【特許請求の範囲】
【請求項１】
インターネット放送を視聴するテレビジョン受信装置であって、
チャンネルサーチ画面においてインターネット放送チャンネルのサーチを選択する選択手段と、
前記選択手段からの指示に応じてインターネット検索サイトに接続するとともに前記インターネット検索サイトで放送サイトのインデックス情報をもとにアドレス一覧とビットマップの情報を受信する通信手段と、
前記情報をもとにインターネット放送のサムネイル表示の番組表を生成する番組表生成手段、とを備えた特徴とするテレビジョン受信装置。
【発明の詳細な説明】
【技術分野】
【０００１】
本発明は、近年急速に増えているデジタル放送とインターネット放送を受信するテレビジョン受信機に関するものである。
【背景技術】
【０００２】
近年、デジタル放送が急速に増えてきており、地上波放送もデジタル化が始まる。デジタル放送受信機の機能は符号化された映像音声信号を、デジタルチューナで復調し、ＭＰＥＧ２複合を、映像信号・音声信号としてディスプレイに表示するものであるが、その他の機能としてデータ放送、電子番組表、ＪＰＥＧ表示などの機能がある。その中で電子番組表は、さまざまな表示方法が実現されている。
本発明のハードウエア構成を図５、実施例の表示方法を図６に示す。
【０００３】
１は番組のチャンネルとロゴである。２は時間である。３は番組タイトルである。４は背景であるビットマップデータである。６はコマーシャルデータである。その上は選局しているチャンネルの映像である。リモコンで電子番組表のキーを押すと配置位置データをもとに横軸となるチャンネルとロゴ１、時間２、番組タイトル３、背景のビットマップデータ４を表示する。背景は全画面分のデータではほとんどが隠れるため格納するデータがもったいないので部分的に分割し表示する場合もある。
【０００４】
そのほか、電子番組表を送る事業者のコマーシャルデータ６が別途表示されることもある。また、選局しているチャンネルの映像７を表示する場合もある。図７にインターネットをテレビで表示するときの実施例を示す。
【０００５】
２０はブックマーク用パネルである。２２はインターネット画面表示である。２１は操作パネルである。インターネットを視聴するテレビはいままで静止画が主体であり、リンクをたどるか、前記２１の操作パネルでブックマークを呼び出す方法が一般的であった。前記操作パネルで、小型メモリカードにアクセスし、ブックマーク一覧を取り込みすることはできる場合もあるが、いずれにしても操作が煩雑で一般的なお客様が使うには問題があった。
【特許文献１】特開２００１−０８６４２１号公報
【発明の開示】
【発明が解決しようとする課題】
【０００６】
インターネットを視聴するテレビについて簡単に探し，、選局することが困難であったことからインターネットで映像を放送する場合の操作を地上デジタル放送，ＢＳデジタル放送と近い操作にしなければならないという課題があった。
【０００７】
インターネットの動画放送の場合、縦軸に時間、横軸にチャンネルを表示する番組表は必要がないと見られ、その代わりに使いやすい番組表が必要とされていた。
【課題を解決するための手段】
【０００８】
以上の課題を解決するために本発明のデジタル放送受信装置は、インターネットからデータを取り込むチャンネルサーチ機能をもち、電子番組表のなかで、インターネットの番組選択時は、リモコンのキーの配置をした行列配置を有し、その複数のビットマップをもとに構成する。
【０００９】
上記の構成により、インターネットの映像放送のモードに切り替えたときの番組表を使いやすい構成にする。
【発明の効果】
【００１０】
以上の構成によりインターネット放送の番組表を他のテレビ放送と同じ操作である番組表キーひとつで出すことができ、さらに矢印キーをほとんど使わずに選局できる。
【００１１】
さらに、インターネット放送のサイトにインデックスをつけることにより、
従来の放送と同じ操作によって、インターネット放送サイトを割り当てることができる。
【発明を実施するための最良の形態】
【００１２】
（実施の形態１）
以下本発明の一実施例について図面を参照しながら説明する。
【００１３】
本発明のハードウエア構成を図４、実施例の表示方法を図１に示す。まず放送切り替えのモードのインターネット放送キーを押下する。次に番組表キーを押下したときに、
リモコンのキーと同じ配置の行と列のコンテンツを代表するビットマップを有し、その配列と同じ場所のキーを押下することによってコンテンツ映像が始まる。その流れを図２と、図３に示す。
【００１４】
図２は第１の実施例の制御である。
【００１５】
テレビの設置設定のモードの中で、地上波デジタル放送などのチャンネルをサーチする画面においてインターネットの放送チャンネルのサーチもしくはインターネットモード切替を選択し（ステップ１）、その選択情報を特定のインターネット検索サイトに送り（ステップ２）、インターネット上の放送サイトの一部に持たせたインデックス情報をもとに、インターネット側での検索を行い（ステップ６）、その結果であるアドレス一覧とビットマップなどの情報を取り出してテレビ側に転送し（ステップ７）、テレビ側にて番組表キーを押下時、サムネイル表示の番組表を作成する（ステップ３）。その後、図１に示した
番組のサムネイルの配列にあわせたリモコンキーを押下する（ステップ４）で希望のインターネットアドレスと選択し、すぐに映像が始まる。そのときはＭＰＥＧ４やＨ．２６４などの映像ストリームをインターネット経由でテレビに供給し、前記図４に示したイーサネット（登録商標）部１２を通してトランスポートデコード部１１を通し、ＭＰＥＧデコード部１４を通し、必要に応じて画像表示部１３にてＯＳＤと合成し、映像をディスプレイに表示する。
【００１６】
番組表情報であるビットマップ、アドレスの情報はイーサネット（登録商標）部１２からＣＰＵ１０を通してワークメモリ１５に格納する。最終はフラッシュメモリ１６に記憶する。番組表情報はワークメモリ１５からＣＰＵを通してグラフィックス描画部１２を通してディスプレイに表示する。
（実施の形態２）
また、第２の実施例においては、図３で説明する。
【００１７】
インターネット放送のサイトにインデックスを持たせる代わりに、インターネットの番組表を専用にインターネットのサイト上に持ち（ステップ１６）、インターネットのモード切替えキーを押下後（ステップ１１）にリモコンの番組表押下（ステップ１２）することによって、前記専用のインターネット番組表サイトにあるサムネイル上のビットマップを選ぶ（ステップ１３）ことにより、動画コンテンツのアドレスにつながり、前記映像ストリームをダウンロードし前記ハードウエア構成にてデコードを始める。
【００１８】
なお、前記コンテンツのビットマップについては定期的に更新されてもよい。
【００１９】
インデックス情報についてはジャンルごとにテレビ側で選択し、チャンネルサーチを行って、インターネット側で検索してもよい。
【００２０】
コンテンツのビットマップにそれ以外のテキスト情報を同時に転送してもよい。
【産業上の利用可能性】
【００２１】
本発明にかかるテレビジョン受信装置は、チャンネルをサーチすることでインターネット側で検索を行い、アドレスと、ロゴなどのビットマップ情報を入手し、番組表キーを押下することで、前記ビットマップがサムネイル表示を行い、チャンネルキーを押すことによってインターネット放送が開始するものであり、デジタル放送とインターネット放送を受信するテレビジョン受信機などにおいて有用である。
【図面の簡単な説明】
【００２２】
【図１】本発明の実施例の表示例を示す図
【図２】本発明の実施例の制御例１を示す図
【図３】本発明の実施例の制御例２を示す図
【図４】本発明の実施例のハード構成図
【図５】従来の実施例のハード構成図
【図６】従来の実施例の番組表を示す図
【図７】従来の実施例の表示例を示す図
【符号の説明】
【００２３】
１    チャンネルとロゴデータ
２    時間
３    番組タイトル
４    第１のビットマップデータ
５    第２のビットマップデータ
６    コマーシャルデータ
７    フロントエンド部
８    セクションフィルタ部
１０    ＣＰＵ
１１    トランスポートデコード部
１２    グラフィックス描画部
１３    画像表示部
１４    ＭＰＥＧデコード部
１５    ワークメモリ部
１６    フラッシュメモリ部
１８    小型メモリ部カード
２０    ブックマークパネル
２１    操作パネル
２２    インターネット画面表示
【図１】
2007110304.tif 000003
【図２】
2007110304.tif 000004
【図３】
2007110304.tif 000005
【図４】
2007110304.tif 000006
【図５】
2007110304.tif 000007
【図６】
2007110304.tif 000008
【図７】
2007110304.tif 000009